(57)【要約】  低温輸送コンテナを使用して運送及び／又は保管中に製品及び／又は商品を相互汚染から保護する保護ライナのための方法、システム、デバイス及び／又は装置。保護ライナは、デュワなどの輸送コンテナにライナ付けする。保護ライナは、輸送コンテナ内に配置される。保護ライナは、保護ライナの周囲に配置される１つ又は複数のタブを含む。１つ又は複数のタブは、輸送コンテナの内面のノッチと連動するように構成される。保護ライナは、温度センサリード線を導くように構成される、保護バリアの側面の隙間チャネルを含む。【選択図】図１Ａ
2021527790.tif 000002
【特許請求の範囲】
【請求項１】
輸送コンテナの内部に配置される保護ライナであって、
前記保護ライナの周囲に配置される１つ又は複数のタブであって、前記１つ又は複数のタブは、前記輸送コンテナの内面のノッチと連動するように構成される、１つ又は複数のタブと、
前記保護ライナの側面に設けられて、温度センサリード線を導くように構成される、温度センサチャネルと、を含む、保護ライナ。
【請求項２】
前記保護ライナは、輸送前に前記輸送コンテナの内部に設置される薄壁状の使い捨て式ライナである、請求項１に記載の保護ライナ。
【請求項３】
前記温度センサチャネルは、商品又は製品が前記保護ライナの中に荷積み又はそこから荷降ろしされるときに、前記温度センサリード線を摩耗から保護するように構成される、請求項１に記載の保護ライナ。
【請求項４】
前記保護ライナは、可撓性である又は折り畳み可能である、請求項１に記載の保護ライナ。
【請求項５】
前記１つ又は複数のタブは、前記輸送コンテナを荷積み又は荷降ろしするときに、偶発的に取り外されるのを防ぐために、前記ノッチと連動する、請求項１に記載の保護ライナ。
【請求項６】
前記保護ライナの底部に配置され、前記保護ライナの形状を形成するための１つ又は複数の剛性突起を有するベースを更に含み、
前記ベースは、１つ又は複数の付属品を保持するように構成される付属品ホルダと連動するように構成される、請求項１に記載の保護ライナ。
【請求項７】
低温保管デバイスであって、
低温材料を保管又は運送するためのデュワであって、前記デュワが内面と前記内面のノッチとを有する、デュワと、
前記デュワの前記内面の範囲内に配置される保護バリアであって、前記保護バリアの範囲内に保管される低温材料と、前記デュワの前記内面と、の接触を防ぐように構成される、保護バリアと、
前記保護ライナの範囲内に配置され、複数の付属品を収容するように構成される付属品ホルダと、を含む、低温保管デバイス。
【請求項８】
前記保護バリアは、１つ又は複数のディンプルを有し、
前記付属品ホルダは、前記付属品ホルダの偶発的な取り外しを防ぐために、前記１つ又は複数のディンプルにスナップ係合又は締結するように構成される、請求項７に記載の低温保管デバイス。
【請求項９】
前記保護バリアは、保護ライナを有し、前記保護ライナは、
前記保護ライナの周囲に配置される１つ又は複数のタブであって、前記１つ又は複数のタブが前記ノッチと連動するように構成される、１つ又は複数のタブと、
前記保護バリアの側面に設けられて、温度センサリード線を導くように構成される、温度センサチャネルと、を含む、請求項７に記載の低温保管デバイス。
【請求項１０】
前記保護ライナは、輸送前に前記デュワの内部に設置される薄壁状の使い捨て式ライナである、請求項９に記載の低温保管デバイス。
【請求項１１】
前記温度センサチャネルは、前記低温材料が前記保護ライナに荷積み又は荷降ろしされるときに、前記温度センサリード線を摩耗から保護するように構成される、請求項９に記載の低温保管デバイス。
【請求項１２】
前記１つ又は複数のタブは、前記デュワを荷積み及び荷降ろしするときに、偶発的な取り外しを防ぐために前記ノッチと連動する、請求項９に記載の低温保管デバイス。
【請求項１３】
前記保護ライナは、可撓性である又は折り畳み可能である、請求項９に記載の低温保管デバイス。
【請求項１４】
前記デュワは、前記デュワの首部チューブとペイロードエリアとの間に配置される第１の移行エリアと、前記デュワの前記首部チューブ又は上部の範囲内に配置される第２の移行エリアと、を有する、請求項９に記載の低温保管デバイス。
【請求項１５】
前記１つ又は複数のタブは、第１の列のタブと第２の列のタブとを含み、
前記第１の列のタブは、前記第１の移行エリアにスナップ係合し、前記第２の列のタブは、前記第２の移行エリアにスナップ係合する、請求項１４に記載の低温保管デバイス。
【請求項１６】
前記保護バリアは、前記保護バリアの底部に配置され、前記保護ライナの形状を形成するための１つ又は複数の剛性突起を有するベースを含み、
前記ベースは、前記複数の付属品を保持するように構成される前記付属品ホルダと連動するように構成される、請求項７に記載の低温保管デバイス。
【請求項１７】
保護バリアであって、
ベースを有する保護ライナと、
前記保護ライナの周囲に配置される１つ又は複数のコンテナ取付けデバイスと、
付属品ホルダに取り付けるように構成される１つ又は複数の付属品取付けデバイスと、を含む保護バリア。
【請求項１８】
前記１つ又は複数の付属品取付けデバイスは、前記保護ライナのベースに配置され、前記保護ライナの前記ベースと一体的に形成される、請求項１７に記載の保護バリア。
【請求項１９】
前記保護ライナは、シリンダ状に形状付けされ、約８〜９インチ又は３〜４インチの間の直径を有する、請求項１７に記載の保護バリア。
【請求項２０】
前記１つ又は複数の付属品取付けデバイスは、前記付属品ホルダに対してロック、連動、連結、又は、別途取付けを行うコネクタ、溝、タブ、リップ、ノッチ、ディンプル若しくは他の圧痕、ファスナ又は突起であり、
前記１つ又は複数のコンテナ取付けデバイスは、輸送コンテナの対応するバリア取付けデバイスに対してロック、連動、連結、又は、別途取付けを行うコネクタ、溝、タブ、リップ、ノッチ、ディンプル若しくは他の圧痕、ファスナ又は突起である、請求項１７に記載の保護バリア。
【発明の詳細な説明】
【技術分野】
【０００１】
（関連出願への相互参照）
[0001]本出願は、２０１８年６月１８日に出願された「ＣＲＹＯＬＩＮＥＲ」という名称の米国仮特許出願第６２／６８６，４１０号についての優先権とその利益を主張し、それの全体は、参照によって本明細書に組み込まれる。
【０００２】
（[0002]１．分野）
[0003]本明細書は、低温下での運送中及び／又は保管中に輸送コンテナに保管された製品の相互汚染から保護するためのシステム、装置、及び／又は、方法に関する。
【背景技術】
【０００３】
（[0004]２．関連技術の説明）
[0005]健康、医療、製薬及び／又はライフサイエンス産業において、清潔さは、産業の重要な一側面である。幾つかの例では、ビジネスは、製品の保管及び／又は運送の前に、輸送コンテナの滅菌及び／又は消毒を要求することがある。他の例では、ビジネスは、製品の保管及び／又は運送のために特定用途の輸送コンテナを要求することがある。これらの清潔さ及び／又は特定用途の要件は、相互汚染を防ぐように設計される。
【０００４】
[0006]現在、製品を低温で保管するデュワの洗浄及び消毒は、多段階の洗浄及び消毒プロセスを使用しており、デュワを次の使用のために洗浄、消毒及び／又は認定するのに最大約４日掛かることがある。多段階のプロセスは、熱効率試験及び／又は洗浄プロセスを含むことがある。現在の洗浄プロセスは、デュワを温めること及びデュワの内部を拭くためにアルコール溶液を使用することを伴うことがある。デュワは、温めるのにかなりの時間を必要とする。デュワ内の異なった材料が異なった速度で膨張及び収縮するという理由で、規則的な熱サイクルは、デュワ又はデュワ内の真空シールの損傷を引き起こすことがあり、真空障害を引き起こすことがある。
【発明の概要】
【発明が解決しようとする課題】
【０００５】
[0007]従って、必要性が存在するのは、デュワを温めずに、デュワの内部の製品を相互汚染から保護するためのシステム、装置、及び／又は、方法である。
【課題を解決するための手段】
【０００６】
[0008]概して、本明細書で説明される主題の１つの態様は、デュワなどの輸送コンテナにライナ付けする保護ライナに具現化される。保護ライナは、輸送コンテナ内に配置される。保護ライナは、保護ライナの周囲に配置される１つ又は複数のタブを含み、１つ又は複数のタブは、輸送コンテナの内面のノッチと連動するように構成される。保護ライナは、保護ライナの側面の温度センサチャネル（ｔｅｍｐｅｒａｔｕｒｅ  ｓｅｎｓｏｒ  ｃｈａｎｎｅｌ）を含む。温度センサチャネルは、温度センサリード線を導くように構成される。
【０００７】
[0009]これら及び他の実施形態は、１つ又は複数の次の特徴を任意選択で含んでいてもよい。保護ライナは、輸送前に輸送コンテナの内部に設置され得る薄壁状の使い捨て式ライナであってもよい。温度センサチャネルは、商品又は製品が保護ライナの中に荷積み又はそこから荷降ろしされるときに、温度センサのリード線を摩耗から保護するように構成されてもよい。保護ライナは、可撓性である又は折り畳み可能であってもよい。１つ又は複数のタブは、輸送コンテナを荷積み又は荷降ろしするときに、偶発的に取り外されるのを防ぐために、ノッチと連動してもよい。
【０００８】
[0010]保護ライナは、ベースを含んでいてもよい。ベースは、保護ライナの底部に配置されてもよい。ベースは、保護ライナの形状を形成するための１つ又は複数の剛性突起を有していてもよい。ベースは、付属品ホルダと連動するように構成されてもよい。付属品ホルダは、１つ又は複数の付属品を保持するように構成されてもよい。
【０００９】
[0011]別の態様では、主題は、低温保管デバイスに具現化される。低温保管デバイス（ｃｒｙｏｇｅｎｉｃ  ｓｔｏｒａｇｅ  ｄｅｖｉｃｅ）は、低温材料（ｃｒｙｏｇｅｎｉｃ  ｍａｔｅｒｉａｌ）を保管又は運送するためのデュワを含む。デュワは、内面と内面のノッチとを有する。低温保管デバイスは、デュワの内面内に配置される保護バリアを含む。保護バリアは、保護バリア内に保管されている低温材料とデュワの内面との接触を防ぐように構成される。低温保管デバイスは、保護ライナ内に配置される付属品ホルダを含む。付属品ホルダは、複数の付属品を収容するように構成される。
【００１０】
[0012]別の態様では、主題は、保護バリアに具現化される。保護バリアは、保護ライナを含む。保護ライナは、輸送コンテナ内に配置されており、ベースを有する。保護ライナは、１つ又は複数のコンテナ取付けデバイスを含む。１つ又は複数のコンテナ取付けデバイスは、保護ライナの周囲に配置される。保護バリアは、１つ又は複数の付属品取付けデバイスを含む。１つ又は複数の付属品取付けデバイスは、付属品ホルダを取り付けるように構成される。
【００１１】
[0013]本発明の他のシステム、方法、特徴、及び、利点は、次の図面及び詳細な説明を検討することにより、当業者には明らかになるであろう。図面に示された構成要素部品は、必ずしもスケール通りではなく、また、本発明の重要な特徴をより良く例証するために、誇張されていることがある。
【図面の簡単な説明】
【００１２】
【図１Ａ】[0014]本発明の一態様に係る大きな保護バリアの例を示す図である。
【図１Ｂ】[0015]本発明の一態様に係る小さな保護バリアの例を示す図である。
【図２】[0016]本発明の一態様に係る保護バリアを備えたデュワの例を示す図である。
【図３】[0017]本発明の一態様に係る付属品ホルダの例を示す図である。
【図４】[0018]本発明の一態様に係る付属品ホルダを備えた保護バリアの例を示す図である。
【発明を実施するための形態】
【００１３】
[0019]本明細書に開示されるのは、低温（ｃｒｙｏｇｅｎｉｃ  ｔｅｍｐｅｒａｔｕｒｅｓ）に耐えて、デュワなどの輸送コンテナを再利用するときに、保管された材料の相互汚染から保護するために使用される保護バリアのためのシステム、デバイス、及び／又は、方法である。保護バリアは、保護バリア内に保管された製品又は材料による汚染からデュワを保護する、クライオライナ（ｃｒｙｏｌｉｎｅｒ）などのライナであってもよい。保護バリアは、種々の輸送や配達にわたる製品の相互汚染を防ぐ。
【００１４】
[0020]他の利益や利点は、資産活用と棚卸しの柔軟性を増加させることを含む。保護バリアを使用してデュワを汚染から保護することによって、再利用前にデュワを消毒や洗浄するために必要な時間は、短縮される。典型的に、デュワは、熱効率をチェックされ、次いで、洗浄のために温められる。いったんデュワが洗浄されると、デュワを冷却する液体窒素は、補充される。保護バリアの使用は、洗浄の時間を削減や短縮させ、斯くして、デュワがメンテナンスされている時間を短縮させる。斯くして、デュワは、より頻繁に使用されてもよい。更に、保護バリアの使用は、洗浄のためにデュワを温める必要なしに、デュワの再利用を可能にすることがあり、斯くして、熱サイクルに起因する任意の自然発生の損傷を減少させ、平均修理時間を短縮させる。
【００１５】
[0021]加えて、保護バリアは、付属品ホルダを有していてもよい。付属品ホルダは、製品の運送に使用される様々なタイプの付属品を保持できる。これは、製品の運送及び保管を容易にする。
【００１６】
[0022]図１Ａ〜１Ｂは、１つの実施形態に係る保護バリア１００を示しており、輸送コンテナ内部に保管された製品や商品によるデュワなどの輸送コンテナの汚染を防ぐ。この実施形態では、保護バリア１００は、例えば、図２に示されたように、輸送コンテナの内側容器と、輸送コンテナ内部に保管された製品や商品と、の間にあるペイロードエリア内部に配置される。保護バリア１００は、ペイロードエリアの異なったサイズを有する異なったタイプのデュワに順応するために、様々なサイズのものであってもよい。保護バリア１００は、例えば、図１Ａに示されたように、約８．７５インチなどの８〜９インチの間の直径を有する高容量のデュワ用であってもよい。保護バリア１００は、例えば、図１Ｂに示されたように、約３．５インチなどの３〜４インチの間の直径を有する低容量のデュワ用であってもよい。しかしながら、他のサイズのライナは、使用されてもよく、本発明の範囲内に入る。
【００１７】
[0023]保護バリア１００は、可撓性である及び／又は折り畳み可能であってもよい。保護バリア１００は、低温に耐えることができてもよく、従って、低温輸送コンテナ内に設置されたときに、保護バリア１００は、過度に脆弱にはならない。保護バリア１００の１つの態様では、保護バリア１００は、デュワ２００、付属品ホルダ３００、又は、温度センサリード線と連動する及び／又はインターフェース接続される様々な構成要素を有していてもよい。
【００１８】
[0024]本発明の１つの態様では、保護バリア１００は、デュワの内側容器の内側又は表面に配置されるライナ１０２、保護カバー、又は、他の材料層を含む又はそれから形成されてもよい。保護バリア１００は、ライナ１０２、１つ又は複数のコンテナ取付けデバイス１０４、及び、１つ又は複数の付属品取付けデバイス１０６を含む。保護バリア１００は、例えば、１つ又は複数の温度センサチャネル１０８、及び／又は、図３に示されたような付属品ホルダ３００を含んでいてもよい。
【００１９】
[0025]ライナ１０２は、輸送前にデュワの内部に設置される薄壁状の使い捨て式ライナであってもよい。ライナ１０２は、一度限りの使用であってもよく、使用後にライナ１０２が処分されるのを可能にする。ライナ１０２は、使用前に滅菌又は別途洗浄されてもよく、及び／又は、滅菌を補助するためにライナに塗布される抗菌剤などの化学物質の層を有していてもよい。これは、ライナ１０２内部に設置されている新製品を汚染する可能性がある製品のどれとも接触していないクリーンな環境を保証する。使用後、ライナ１０２は、処分されてもよく、新しいライナは、デュワ内部に設置されてもよい。斯くして、包装業者や荷送人は、デュワを洗浄する必要がなく、代わりに、使い捨て式ライナ１０２を単に交換して、輸送前に新しい製品を挿入してもよい。これは、製品、商品、及び、他の材料を運送及び／又は輸送するためにデュワが使用できない時間を短縮する。その上、デュワは、洗浄のために温められる必要がなく、デュワへの損傷を減少させる。
【００２０】
[0026]１つの態様では、ライナ１０２は、低温に耐えることのできる室温で、ポリエチレンテレフタレート（ＰＥＴＧ）、ポリエチレン又は他のプラスチックやプラスチック樹脂などの可撓性材料から作製されてもよい。ライナ１０２は、折り畳み可能であってもよく、ライナ１０２の開口に挿入される物体や製品のまわりに容易に適合可能であってもよい。低温でデュワ内で運送されるときに、ライナ１０２は、より剛性になることがある。ライナ１０２は、シリンダ形、矩形、又は、他の多角形として形状付けされてもよく、ライナ１０２の中への製品の挿入を可能にする開口を有していてもよい。ライナ１０２は、保護するためにライナが挿入されるデュワや他の輸送コンテナのペイロードスペースの形状に対応するように形状付けされてもよい。実装によっては、ライナ１０２は、ライナ１０２が熱伝導性でないように、薄壁状の鋼材料や可能な限り熱伝導率係数の低い他の材料から作製されてもよい。
【００２１】
[0027]ライナ１０２は、１つ又は複数の突起１１０を有するベース１１２を有していてもよい。ベース１１２は、ライナ１０２の底部に配置されてもよい。１つ又は複数の突起１１０は、ライナ１０２の形状を形成するための剛性を提供してもよい。例えば、１つ又は複数の突起１１０は、剛性であってもよく、ベース１１２の円形形状と、ライナ１０２の全体的なシリンダ形状と、を形成するために、同心円に形状付けされてもよい。
【００２２】
[0028]保護バリア１００は、１つ又は複数のコンテナ取付けデバイス１０４を含む。１つの態様では、コンテナ取付けデバイスは、例えば、図２に示されたように、デュワ２００の対応するバリア取付けデバイス２０２に対してロック、連動、連結、又は、別途取付けを行うコネクタ、溝、タブ、リップ、ノッチ、ディンプル若しくは他の圧痕、ファスナ又は突起であってもよい。１つ又は複数のコンテナ取付けデバイス１０４は、ライナ１０２の円周又は周囲に沿って、ライナ１０２の縦の長さ又は高さに沿って異なった位置に、配置されてもよい。１つ又は複数のコンテナ取付けデバイス１０４は、１つ又は複数のバリア取付けデバイス２０２と連動するために外の方に向いていてもよい。デュワ２００のバリア取付けデバイス２０２は、コンテナ取付けデバイス１０４と連動する、移行エリア、凹所、クレビス、或いは、タブ、ノッチ、又は、他のコネクタ若しくはファスナなどの物理的取付けであってもよい。１つ又は複数のコンテナ取付けデバイス１０４は、１つ又は複数のコンテナ取付けデバイスが１つ又は複数のバリア取付けデバイスに連結されるときに、製品の荷降ろし又は荷積み中にライナ１０２の偶発的な取り外しを防ぐことできる。
【００２３】
[0029]例えば、１つ又は複数のタブ又はディンプルは、ライナ１０２の中央部分に沿って配置されてもよい。１つ又は複数のタブ又はディンプルは、ライナ１０２の円周又は周囲に沿って列を形成するために配置されてもよく、また、デュワ２００の移行エリアの中に、或いは、他の対応するバリア取付けデバイス２０２と連動、連結、取付け又は別途スナップ係合するために、ライナ１０２の中間にあってもよい。デュワの移行エリア又は他の対応するバリア取付けデバイスは、デュワの首部チューブ（ｎｅｃｋ  ｔｕｂｅ）とペイロードエリア（ｐａｙｌｏａｄ  ａｒｅａ）との間に配置されてもよい。別の例では、１つ又は複数のタブ又はディンプルは、デュワの首部又は上部の範囲内の、移行エリアの中に、或いは、他の対応するバリア取付けデバイスと連動、連結、取付け又は別途スナップ係合するために、ライナ１０２の上部に配置されてもよい。
【００２４】
[0030]保護バリア１００は、デュワ２００の対応するバリア取付けデバイス２０２と連動、連結又は別途取付けを行う１つ又は複数のコンテナ取付けデバイス１０４の複数の列を有していてもよい。例えば、１つ又は複数のタブ又はディンプルの第１の列は、ライナ１０２の中間に配置されることがあり、第２の列は、ライナ１０２の上部に配置されることがある。１つ又は複数のタブ又はディンプルの第１の列は、デュワ２００の首部チューブとペイロードエリアとの間の中間にある移行エリアにスナップ係合することがあり、１つ又は複数のタブ又はディンプルの第２の列は、デュワ２００の首部又は上部の範囲内にある別の移行エリアにスナップ係合することがある。異なったサイズ又は形状を有する異なったライナは、異なったコンテナ取付けデバイス１０４を有することがあり、これは、それに応じて、異なったバリア取付けデバイス２０２に対して、連動、取付け、連結、又は、別途締結を行う。異なったコンテナ取付けデバイス１０４は、単一のライナ１０２に配置されてもよい。
【００２５】
[0031]実装によっては、１つ又は複数のコンテナ取付けデバイス１０４は、エポキシ、エポキシ樹脂、又は、他の接着剤から形成されてもよい。例えば、エポキシ樹脂は、ライナ１０２に付着して硬化することがあり、次いで、バリア取付けデバイス２０２に対して、挿入、スナップ係合、又は、別途締結が行われることがある。
【００２６】
[0032]保護バリア１００は、温度センサリード線がライナ１０２に沿って走ることを可能にするための１つ又は複数の温度センサチャネル１０８、隙間チャネル、又は、他のクレビス若しくは凹所を含んでいてもよい。１つ又は複数の温度センサチャネルは、ライナ１０２の外面に配置されて、ライナ１０２の長さ又は高さに沿って縦に走っていてもよい。１つ又は複数の温度センサチャネル１０８は、温度センサリード線が取り付けられるのを可能にする。１つ又は複数の温度センサチャネル１０８内に挿入されるとき、温度センサリード線は、ライナ１０２の外面と面一になることがあり、従って、温度センサリード線は、ライナ１０２の外面から突出しない。これは、デュワ２００内に保管される製品又は商品の荷積み及び荷降ろし中に温度センサリード線を摩耗から保護する。
【００２７】
[0033]保護バリア１００は、１つ又は複数の付属品取付けデバイス１０６を含んでいてもよい。１つ又は複数の付属品取付けデバイス１０６は、例えば、図４に示されたように、付属品ホルダ３００に対してロック、連動、連結、又は、別途取付けを行うコネクタ、溝、タブ、リップ、ノッチ、ディンプル若しくは他の圧痕、ファスナ又は突起であってもよい。１つ又は複数の付属品取付けデバイス１０６は、ライナ１０２のベース１１２に配置されてもよく、又は、ライナ１０２のベース１１２内に形成又は成形されてもよい。例えば、１つ又は複数の付属品取付けデバイス１０６は、ライナ１０２の内方に向けられている１つ又は複数のディンプル又はタブであってもよい。１つ又は複数の付属品取付けデバイス１０６は、付属品ホルダ３００をライナ１０２のベース１１２と連動させるために、付属品ホルダ３００のベースコネクタ３１０に連結されてもよい。
【００２８】
[0034]図２は、本発明の１つの実施形態に係る保護バリア１００を備えたデュワ２００などの輸送コンテナを示す。デュワ２００は、内側容器２０４及び外側容器２０６を有する。保護バリア１００は、内側容器２０４に対してライナ付けされて連結されてもよく、それは製品又は商品の荷積み又は荷降ろしの間に保護バリアが偶発的に取り外されるのを防ぐためである。デュワ２００は、１つ又は複数のバリア取付けデバイス２０２を有していてもよい。１つ又は複数のバリア取付けデバイス２０２は、ノッチ、凹所、穴、クレビス、溝、又は、他の移行エリアであってもよく、それは、保護バリア１００をデュワ２００の内側容器２０４と固定するために、ディンプル、タブ、又は、他の取付けデバイスなどの１つ又は複数のコンテナ取付けデバイス１０４と連動する。
【００２９】
[0035]実装によっては、１つ又は複数のバリア取付けデバイス２０２は、ファスナ又は他のコネクタであってもよい。１つ又は複数のバリア取付けデバイス２０２は、対応するコンテナ取付けデバイス１０４が雄コネクタであるときは、雌コネクタであってもよく、又は、コンテナ取付けデバイス１０４が雌コネクタであるときは、雄コネクタであってもよい。
【００３０】
[0036]１つ又は複数のバリア取付けデバイス２０２は、デュワ２００の内側容器２０４の内側円周に沿って配置されてもよい。１つ又は複数のバリア取付けデバイス２０２は、内側容器２０４内で様々な高さに配置されてもよい。例えば、１つ又は複数のバリア取付けデバイス２０２は、デュワ２００の首の上部、首下の中間、又は、ペイロードエリア付近など、内側容器２０４の首の一部内に配置されてもよい。別の例では、１つ又は複数のバリア取付けデバイス２０２は、デュワ２００のペイロードエリア上の中間に配置されてもよい。１つ又は複数のバリア取付けデバイス２０２の位置は、１つ又は複数のコンテナ取付けデバイス１０４の位置に対応する。
【００３１】
[0037]図３は、本発明の１つの実施形態に係る付属品ホルダ３００を示す。付属品ホルダ３００は、種々の付属品の多様な形状に順応するために内部に成形される１つ又は複数の入れ子式の特徴構造部３０６ａ〜ｃを備えた単一のインサート３０２を有していてもよい。実装によっては、付属品ホルダ３００は、多様なインサートを有していてもよい。
【００３２】
[0038]１つ又は複数の入れ子式の特徴構造部３０６ａ〜ｃは、挿入された付属品を保持する１つ又は複数のスロット３０４を有していてもよい。付属品ホルダ３００は、１つ又は複数の入れ子式の特徴構造部３０６ａ〜ｃ内に様々なタイプの多様な付属品を保持していてもよい。多様な付属品は、挿入時にデュワ２００内に保管された製品又は商品の運送及び／又は保管で使用されてもよい。例えば、付属品ホルダ３００は、１つ又は複数のクライオバイアルラック（ｃｒｉｏｖｉａｌ  ｒａｃｋ）、１つ又は複数のブラッドカセットラック（ｂｌｏｏｄ  ｃａｓｓｅｔｔｅ  ｒａｃｋ）、１つ又は複数のブラッドカセット、及び／又は、種々のタイプの付属品の組合せ、を保持していてもよい。
【００３３】
[0039]種々の付属品を保持する１つ又は複数のスロット３０４は、円、正方形、長方形又は他の多角形として形状付けされてもよい。例えば、ブラッドカセットは、狭い長方形スロットに入ることができ、クライオバイアルラックは、正方形スロットの中に挿入されてもよい。実装によっては、単一のスロットは、種々の付属品の配向に基づいて、多様な種々の付属品を収容してもよい。
【００３４】
[0040]付属品ホルダ３００は、ライナ１０２の１つ又は複数の付属品取付けデバイス１０６とインターフェース接続するリップ、タブ、コネクタ、ノッチ又は他のベースコネクタなどのベースコネクタ３１０を有していてもよい。リップは、例えば、クレビス、凹所、又は、ディンプルや他の付属品取付けデバイス１０６によって形成されたチャネルと係合、スリップ、下で摺動、又は、別途インターフェース接続し、並びに、付属品取付けデバイス１０６にスナップ係合、係合、又は、締結してもよい。例えば、付属品ホルダ３００のリップは、例えば、図４に示されたように、付属品ホルダ３００をライナ１０２と相互連結するために、１つ又は複数のディンプル又はタブによって形成される凹所、クレビス、又は、他の移行エリアの中に摺動してもよい。
【００３５】
[0041]付属品ホルダ３００は、ライナ１０２の１つ又は複数の温度センサチャネル１０８に一致する１つ又は複数のチャネル３０８を有していてもよい。１つ又は複数のチャネル３０８は、付属品ホルダ３００の外面の円周に沿って配置されてもよい。１つ又は複数のチャネル３０８は、外面の円周に沿って縦に延びてもよく、また、１つ又は複数の温度センサチャネル１０８と平行に延びてもよい。１つ又は複数のチャネル３０８は、付属品ホルダ３００の外面内の凹所、圧痕、又は、他のチャネルであってもよく、また、ライナ１０２の１つ又は複数の温度センサチャネル１０８と形状が一致する。これは、温度センサチャネル１０８の中に挿入又は設置されたときに、温度センサチャネル１０８に沿って延びる温度センサ線がライナ１０２の表面と面一になるのを可能にする。
【００３６】
[0042]図４は、本発明の１つの実施形態に係る付属品ホルダ３００を備えた保護バリア１００を示す。付属品ホルダ３００は、ライナ１０２のベース１１２に配置されてもよい。付属品ホルダ３００は、付属品ホルダ３００がライナ１０２のベース１１２の中に適切に挿入されたときに、ライナ１０２の１つ又は複数の温度センサチャネル１０８と整列される１つ又は複数のチャネル３０８を有する。付属品ホルダ３００は、ライナ１０２と連動してもよい。例えば、ベースコネクタ３１０は、付属品ホルダ３００がライナ１０２からうっかり外れるのを防ぐために、付属品ホルダ３００をライナ１０２と連動させるように、付属品取付けデバイス１０６とインターフェース接続してもよい。１つ又は複数の付属品ホルダ３００は、異なった構成と異なったタイプの交換可能な付属品を収納するために、異なったサイズの保護バリア１００内に積重ね又は別途設置されてもよい。
【００３７】
[0043]方法／システムの例示的な実施形態は、例証的な方式で開示されている。従って、全体を通して使用される用語は、非限定的な様式で読み取られるべきである。本明細書の教示に対する僅かな変更が当技術分野に精通する者に見出されるであろうが、理解すべきことは、本明細書で保証される特許の範囲内で制限されることを意図するものは全てが、そういった実施形態であって、ここに寄与した当技術分野への進歩の範囲に合理的に入ること、しかも、その範囲が、添付の特許請求の範囲とその等価物の観点を除いて、制限されないものとする、ということである。
【図１Ａ】
2021527790.tif 000003
【図１Ｂ】
2021527790.tif 000004
【図２】
2021527790.tif 000005
【図３】
2021527790.tif 000006
【図４】
2021527790.tif 000007
【国際調査報告】
2021527790.tif 000008
2021527790.tif 000009